(57)【要約】【課題】利用者が原稿読取装置に備わっている機能を利用する可能性を増大しつつ、機能を有効化することによる遅れを少なくすることができる原稿読取装置を提供する。【解決手段】例えば、原稿読取りが実行される度にスキャン枚数を数え、そのスキャン枚数に基づいて、所定の機能の有効／無効を切り替える。【選択図】図８
2020039091.tif 000002
【特許請求の範囲】
【請求項１】
一回の原稿読取り当りのスキャン枚数の履歴に基づいて、所定の機能の有効／無効を切り替えることを特徴とする原稿読取装置。
【請求項２】
請求項１に記載の原稿読取装置であって、
前記一回の原稿読取り当りのスキャン枚数の履歴は、前記原稿読取装置にて行われるスキャンに対して利用者を区別せずに取られたものであることを特徴とする原稿読取装置。
【請求項３】
請求項１に記載の原稿読取装置であって、
前記一回の原稿読取り当りのスキャン枚数の履歴は、前記原稿読取装置にて特定の利用者により行われるスキャンに対して取られたものであることを特徴とする原稿読取装置。
【請求項４】
請求項１乃至３の何れか１項に記載の原稿読取装置であって、
前記一回の原稿読取り当りのスキャン枚数の履歴に基づいて算出した前記一回あたりのスキャン枚数を表す指標が所定の閾値以下であれば、前記所定の機能を有効にし、そうでなければ、前記所定の機能を無効にすることを特徴とする原稿読取装置。
【請求項５】
原稿読取りが実行される度にスキャン枚数を数え、そのスキャン枚数に基づいて、所定の機能の有効／無効を切り替えることを特徴とする原稿読取装置。
【請求項６】
請求項５に記載の原稿読取装置であって、
前記一回あたりのスキャン枚数が所定の閾値以下であれば、前記所定の機能を有効にし、そうでなければ、前記所定の機能を無効にすることを特徴とする原稿読取装置。
【請求項７】
請求項５又は６に記載の原稿読取装置であって、
前記閾値は、前記所定の機能を実行するために要する時間が長いほど小さくなるようなものであることを特徴とする原稿読取装置。
【請求項８】
請求項５又は６に機作の原稿読取装置であって、
前記閾値は、スキャンにより取得した画像の保存先に応じて、異なることを特徴とする原稿読取装置。
【請求項９】
請求項１乃至８の何れか１項に記載の原稿読取装置であって、
スキャンにより取得した画像の保存先が所定の保存先である場合には、所定の機能を常に無効とすることを特徴とする原稿読取装置。
【請求項１０】
請求項１乃至９の何れか１項に記載の原稿読取装置であって、
スキャンにより取得した画像の保存先が別の所定の保存先である場合には、所定の機能を常に有効とすることを特徴とする原稿読取装置。
【請求項１１】
請求項１乃至８の何れか１項に記載の原稿読取装置であって、
設定により、全ての機能又は一部の機能が常に無効にされることを特徴とする原稿読取装置。
【請求項１２】
請求項１１に記載の原稿読取装置であって、
前記設定は、スキャン開始時に表示される利用者インターフェースを介して利用者によりされるものであることを特徴とする原稿読取装置。
【請求項１３】
請求項１乃至１２の何れか１項に記載の原稿読取装置であって、
前記スキャン枚数は、読み取られた白紙の枚数を差し引かれたものであることを特徴とする原稿読取装置。
【請求項１４】
請求項１乃至１３の何れか１項に記載の原稿読取装置であって、
所定の機能の有効／無効の切り替えをする前に利用者に許可を求め、利用者からの許可があった場合に切り替えをし、許可がなかった場合に切り替えをしないことを特徴とする原稿読取装置。
【請求項１５】
請求項１乃至１４の何れか１項に記載の原稿読取装置を備えることを特徴とする複合機。
【請求項１６】
一回の原稿読取り当りのスキャン枚数の履歴に基づいて、所定の機能の有効／無効を切り替えることを特徴とする画像読取方法。
【請求項１７】
原稿読取りが実行される度にスキャン枚数を数え、そのスキャン枚数に基づいて、所定の機能の有効／無効を切り替えることを特徴とする画像読取方法。
【請求項１８】
コンピュータを請求項１乃至１４の何れか１項に記載の原稿読取装置として機能させるためのプログラム。
【発明の詳細な説明】
【技術分野】
【０００１】
本発明は、原稿の画像を読み取るための原稿読取装置、これを含む複合機及び画像を読み取るための画像読取り方法に関する。
【背景技術】
【０００２】
原稿を読取るための原稿読取装置には、読取画像の品質などを考慮して種々の機能が追加されている。追加される機能としては、例えば、白紙飛ばしの機能、画像の向きの自動判定の機能、解像度自動判定の機能、白黒自動判定の機能、及び、原稿斜め補正の機能などがある。
【０００３】
白紙飛ばしの機能とは、原稿に含まれる白紙のページを読み取った場合に、このページを読取画像ファイルや画像形成装置に出力しないようにする機能である。
【０００４】
画像の向きの自動判定の機能とは、読取った原稿の画像の向きを判定する機能である。例えば、文字が多数含まれる原稿の画像の向きは、それらの文字が正立する向きが原稿の向きであり、写真が含まれる原稿の画像の向きは、人物や景色が正立する向きが原稿の向きである。
【０００５】
解像度自動判定の機能とは、読み取るべき原稿画像の画素密度をプレスキャンなどにより見積もって、これにより読取解像度を調整する機能である。また、読み取った原稿画像から画素密度を求め、これに基づいて出力画像の画素密度を調整する機能である。
【０００６】
白黒自動判定の機能とは、白黒モードにおいて、読取った原稿画像が白黒二値画像であるのか白黒多値画像であるのかを判定して、これにより画像処理方法を切り替える機能のことである。
【０００７】
原稿斜め補正の機能とは、読取った原稿画像が傾いているならば、この傾きがなくなるように原稿画像を回転させる機能のことである。
【先行技術文献】
【特許文献】
【０００８】
【特許文献１】特開２０１１−１６６７８１号公報
【発明の概要】
【発明が解決しようとする課題】
【０００９】
これらの機能は便利であるので、本来ならば、デフォルトの設定で有効にしておいたほうがよいが、他方で、これらの処理の所要時間による遅れを考慮すると、デフォルトの設定で無効にしておいたほうがよい。
【００１０】
仮に、デフォルトの設定でこれらの機能を無効にすると、利用者は、原稿読取装置にこのような機能があることさえ気づかずに、これらの機能が使われない可能性が増大する。
【００１１】
なお、特許文献１には、機能の利用頻度に応じて、画像処理のためのデフォルト設定を変更する画像処理装置が開示されている。利用頻度の多い機能がデフォルトの設定で無効から有効に変更されるとしても、初期のデフォルトの設定で無効となっている機能は、利用者に気づかれることが少ないため、利用される可能性が低く、従って、有効になる可能性が低い。これは、機能の種類が多い場合に顕著であり、新しい機能についても顕著である。
【００１２】
そこで、本発明は、利用者が原稿読取装置に備わっている機能を利用する可能性を増大しつつ、機能を有効化することによる遅れを少なくすることができる原稿読取装置、複合機及び画像読取方法を提供することを目的とする。
【課題を解決するための手段】
【００１３】
本発明によれば、一回の原稿読取り当りのスキャン枚数の履歴に基づいて、所定の機能の有効／無効を切り替えることを特徴とする原稿読取装置が提供される。
【００１４】
また、本発明によれば、原稿読取りが実行される度にスキャン枚数を数え、そのスキャン枚数に基づいて、所定の機能の有効／無効を切り替えることを特徴とする原稿読取装置が提供される。
【００１５】
更に、本発明によれば、上記の原稿読取装置を備えることを特徴とする複合機が提供される。
【００１６】
更に、本発明によれば、一回の原稿読取り当りのスキャン枚数の履歴に基づいて、所定の機能の有効／無効を切り替えることを特徴とする画像読取方法が提供される。
【００１７】
更に、本発明によれば、原稿読取りが実行される度にスキャン枚数を数え、そのスキャン枚数に基づいて、所定の機能の有効／無効を切り替えることを特徴とする画像読取方法が提供される。
【００１８】
更に、コンピュータを上記の原稿読取装置として機能させるためのプログラムが提供される。
【発明の効果】
【００１９】
本発明によれば、利用者が原稿読取装置に備わっている機能を利用する可能性を増大しつつ、機能を有効化することによる遅れを少なくすることができる。
【図面の簡単な説明】
【００２０】
【図１】本発明の実施の形態による複合機の概念的断面図である。
【図２】本発明の実施の形態による複合機の機能ブロック図である。
【図３】本発明の実施の形態による原稿読取装置に備わる機能を示す表である。
【図４Ａ】本発明の第１の実施の形態による原稿読取装置による原稿読取方法を説明するためのフローチャートである。
【図４Ｂ】本発明の第１の実施の形態による原稿読取装置による原稿読取方法を説明するための他のフローチャートである。
【図５】本発明の第１の実施の形態による原稿読取装置の操作パネルに表示される自動スキャンに関する画面を示す図である。
【図６Ａ】本発明の第２の実施の形態による原稿読取装置による原稿読取方法を説明するためのフローチャートである。
【図６Ｂ】本発明の第２の実施の形態による原稿読取装置による原稿読取方法を説明するための他のフローチャートである。
【図７】本発明の第３の実施の形態による原稿読取装置による原稿読取方法を説明するためのフローチャートである。
【図８】本発明の第４の実施の形態による原稿読取装置による原稿読取方法を説明するためのフローチャートである。
【図９Ａ】本発明の第５の実施の形態による原稿読取装置による原稿読取方法を説明するためのフローチャートである。
【図９Ｂ】本発明の第５の実施の形態による原稿読取装置による原稿読取方法を説明するための他のフローチャートである。
【図１０】本発明の第５の実施の形態による使用原稿枚数と各機能の有効／無効の関係を示す図である。
【図１１Ａ】本発明の第６の実施の形態による原稿読取装置による原稿読取方法を説明するためのフローチャートである。
【図１１Ｂ】本発明の第６の実施の形態による原稿読取装置による原稿読取方法を説明するための他のフローチャートである。
【図１２】本発明の第６の実施の形態による原稿画像ファイルの格納場所使用原稿枚数と各機能の有効／無効の関係を示す図である。
【図１３】本発明の第７の実施の形態による原稿読取装置による原稿読取方法を説明するためのフローチャートである。
【図１４】本発明の第８の実施の形態による原稿読取装置による原稿読取方法を説明するためのフローチャートである。
【図１５】本発明の第８の実施の形態による原稿読取装置による原稿読取方法を説明するための他のフローチャートである。
【発明を実施するための形態】
【００２１】
以下、図面を参照して本発明を実施するための形態について詳細に説明する。
【００２２】
本発明の実施の形態による原稿読取装置を含む複合機８００に関するものである。図１及び図２は、複合機８００の構成などを示すものである。
【００２３】
図１及び図２に示すように、複合機８００は、原稿の画像を読み取る原稿読取装置８２０と、シートに画像を形成する複合機本体（画像形成部本体）８３０と、原稿読取装置８２０及び複合機本体８３０を操作するための操作パネル部８４３と、操作パネル部８４３による操作に基づいて原稿読取装置８２０及び複合機本体８３０を制御する演算処理部８４１と、を備えている。
【００２４】
画像読取りのために原稿読取装置８２０を単体で用いること、画像形成のために複合機本体８３０を単体で用いることの他に、画像を複写するためにこれらを連動させることもできる。また、複合機８００は図示しない記憶装置及びファクシミリ装置を含んでいてもよい。記憶装置は、原稿読取装置８２０により読み取られた画像やファクシミリ装置により受信した画像を格納することができる。ファクシミリ装置は、原稿読取装置８２０により読み取られた画像や記憶装置に格納されている画像を送信することと、外部から画像を受信することができる。更に、複合機８００は、ネットワークを介してパーソナルコンピュータと接続するためのインターフェースを含んでいてもよい。複合機８００に接続されたパーソナルコンピュータは、これが管理できるデータについて複合機の機能を利用することができる。
【００２５】
原稿読取装置８２０は、原稿を自動給送する原稿自動給送部ＡＤＦ(Automatic Document Feeder)８２４と、原稿の画像を読み取る読取装置本体８２２と、を備えている。なお、原稿読取装置８２０は、図１に示す構成要素の他に、図２は示されないが図１に示される構成要素も含む。また、図１に示すように、読取装置本体８２２には、原稿台８２６が備わる。
【００２６】
複合機本体８３０は、シートを給送するシート給送部１０と、シートを手差し給送可能な手差し給送部２０と、シート給送部１０又は手差し給送部２０により給送されるシートに画像を形成する画像形成部３０と、を備えている。
【００２７】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【００２８】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体８３０に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【００２９】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【００３０】
４つのプロセスカートリッジ３１Ｙ〜３１Ｋのそれぞれは、複合機本体８３０から取り外し可能に構成されており、交換可能となっている。なお、４つのプロセスカートリッジ３１Ｙ〜３１Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【００３１】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【００３２】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【００３３】
操作パネル部８４３は、所定の情報を表示する表示部８４５と、利用者が原稿読取装置８２０及び複合機本体８３０への指示を入力する入力部８４７と、を備えている。本実施形態においては、操作パネル部８４３は、読取装置本体８２２の正面側に配設されている。なお、正面側は図１の紙面の手前側に対応し、裏面側は図１の背面側に対応する。
【００３４】
図２に示すように、演算処理部８４１は、シート給送部１０、手差し給送部２０、画像形成部３０及び原稿読取装置８２０を駆動制御するＣＰＵ８４１ａと、ＣＰＵ８４１ａを動作させるための各種プログラムとＣＰＵ８４１ａが用いる各種情報等を記憶するメモリ８４１ｂと、を備えている。演算処理部８４１は、利用者による操作パネル部８４３への操作に基づいて、シート給送部１０、手差し給送部２０、画像形成部３０及び原稿読取装置８２０の動作を統合して制御し、シートに画像を形成させる。
【００３５】
次に、上述のように構成された複合機８００による画像形成動作（演算処理部８４１による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【００３６】
利用者による操作パネル部８４３の入力部８４７への入力により、画像形成開始信号が発信されると、利用者により原稿自動給送部８２４に載置された読取原稿が原稿読取位置に向けて自動給送され、原稿読取位置で読取装置本体８２２によって画像が読み取られる。
【００３７】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｋにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【００３８】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【００３９】
トナー像が転写されたシートは、定着部３４で加熱・加圧されることでトナー像が溶融定着され、排出ローラ対１８により装置外に排出される。装置外に排出されたシートは、排出シート積載部１９に積載される。
【００４０】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【００４１】
本発明の実施の形態における原稿読取装置に備わる機能は、図３に示すようなものである。
【００４２】
これらの機能の内容は、既に説明したとおりであるが、図３に示すように、機能毎に、その機能のための処理をする主体が異なり、また、その機能の有効化によるパフォーマンスの低下の程度が異なる。例えば、白紙飛ばしの機能は、ＡＳＩＣにより処理により実現されるが、これによるパフォーマンスの低下の程度は小さい。画像の向きの自動判定の機能はソフトウェアの実行により実現されるが、これによるパフォーマンスの低下の程度は大きい。解像度自動判定の機能、白黒自動判定の機能、及び原稿斜め補正の機能はソフトウェアに実行により実現されるが、これによるパフォーマンスの低下の程度は中程度である。
【００４３】
［第１の実施の形態］
本発明の第１の実施の形態は、原稿読取装置における一回のスキャン当りの原稿読取り枚数を過去の使用状況から求めて、これに基づいて、所定の機能を有効にするか否かを判断するものである。
【００４４】
本発明の第１の実施による方法を図４Ａ及び図４Ｂを参照して説明する。
【００４５】
まず、図には示していないが、累積スキャンジョブ回数及び累積原稿読取り枚数は、原稿読取装置を工場出荷した時もしくは、原稿読取装置を設置した時に、ゼロにリセットされる。なお、累積スキャンジョブ回数及び累積原稿読取り枚数は、原稿読取装置全体に対して１つずつ用意されている。
【００４６】
原稿読取装置の電源がＯＮになったならば（ステップＳ２０１でＹＥＳ）、原稿読取装置が記憶している累積スキャンジョブ回数及び累積原稿読取り枚数を呼び出す（ステップＳ２０３）。
【００４７】
次に、累積スキャンジョブ回数が所定回数に達していなければ（ステップＳ２０５でＮＯ）、ステップＳ２１５に進む。
【００４８】
他方で、累積スキャンジョブ回数が所定回数以上であれば（ステップＳ２０５でＹＥＳ）、ステップＳ２０３で呼び出した累積原稿読取り枚数をステップＳ２０３で呼び出した累積スキャンジョブ回数により除することにより一回のスキャンジョブ当りの平均原稿読取り枚数を取得する（ステップＳ２０７）。
【００４９】
一回のスキャンジョブ当りの平均原稿読取り枚数が所定枚数Ｎ未満であれば（ステップＳ２０９でＹＥＳ）、スキャン自動設定をＯＮにしてから（ステップＳ２１１）、ステップＳ２１５に進み、Ｎ以上であれば（ステップＳ２０９でＮＯ）、スキャン自動設定をＯＦＦにしてから（ステップＳ２１３）、ステップＳ２１５に進む。
【００５０】
ここで、スキャン自動設定がＯＮにされると、図５に示すように、自動スキャン設定に属する白紙飛ばしの機能、画像の向きの自動判定の機能、解像度自動判定の機能、白黒自動判定の機能、及び、原稿斜め補正の機能が有効にされる。スキャン自動設定がＯＦＦにされると、自動スキャン設定に属するこれらの機能は無効にされる。  ステップＳ２１５に進んだならば、スキャンジョブが開始するまで待つ（ステップＳ２１５でＮＯ）。開始してからは（ステップＳ２１５でＹＥＳ）、スキャン自動設定がＯＮにされているならば、スキャンの最中に、これに属する機能を働かせる。また、スキャンの最中に今回のスキャンにおける使用原稿枚数を１枚ずつカウントしていく（ステップＳ２１７）。
【００５１】
スキャンジョブが終了したならば（ステップＳ２１９でＹＥＳ）、終了時における使用原稿枚数をステップＳ２０３で呼び出した原稿読取り枚数に加算して、加算後の原稿読取り枚数を書き戻す（ステップ２２１）。また、ステップＳ２０３で呼び出したスキャンジョブ回数に１を加算して、加算後のスキャンジョブ回数を書き戻す（ステップＳ２２３）。
【００５２】
上記の動作は、図５に示す画面における「原稿枚数に応じて自動設定を解除」のチェックがされている場合のものである。図５に示す画面における「原稿枚数に応じて自動設定を解除」のチェックが外されている場合には、一回のスキャン当りの原稿枚数が所定枚数以上であっても自動スキャン設定は解除されない。
【００５３】
ステップＳ２０５：ＮＯからステップＳ２１５に直接進む場合には、スキャン自動設定をＯＮにしてもよいし、ＯＦＦにしてもよい。
【００５４】
また、現在から遡及して所定回数のスキャンに対する平均原稿読取り枚数（単純移動平均枚数、加重移動平均枚数、指数移動平均枚数など）を所定枚数Ｎと比較してもよい。
【００５５】
スキャン自動設定がＯＮにされたときに、自動スキャン設定に属する白紙飛ばしの機能、画像の向きの自動判定の機能、解像度自動判定の機能、白黒自動判定の機能、及び、原稿斜め補正の機能の全てを有効にするという説明をしたが、そのうちの一部のみを有効にしてもよい。
【００５６】
また、図５の画面の「自動スキャン設定」のチェックボックスは、上記の実施の形態によりスキャン自動設定がＯＮにされるとチェックされる。自動で有効にされた機能を利用者が無効にしてもよい。逆に、スキャン自動設定がＯＮになっても有効にされない機能があるならば、図５に示すような画面により利用者が有効にしてもよい。
【００５７】
第１の実施の形態によれば、原稿読取装置による過去の１スキャン当りの原稿読取り枚数が少ない場合には、自動スキャン設定に属する機能が有効にされるので、原稿読取装置に備わっているこれらの機能を利用者は享受することができる。また、これらの機能を有効にした場合には、これらの機能のための処理時間により遅延が生じるが、原稿読取り枚数が少ないため累積遅延は少なくてすむ。他方で、原稿読取装置による過去の１スキャン当りの原稿読取り枚数が多い場合には、自動スキャン設定に属する機能が無効にされるので、仮に有効にされた場合に発生する読取り枚数にほぼ比例した累積遅延が発生しない。
【００５８】
［第２の実施の形態］
本発明の第１の実施の形態は、原稿読取装置における一回のスキャン当りの原稿読取り枚数を過去の使用状況から求めて、これに基づいて、所定の機能を有効にするか否かを判断するものである。
【００５９】
これに対して、本発明の第２の実施の形態は、各利用者における一回のスキャン当りの原稿読取り枚数を過去の使用状況から求めて、これに基づいて、所定の機能を有効にするか否かを判断するものである。つまり、同一の原稿読取装置を用いる場合であっても、利用者毎に所定の機能を有効にするか否かを判断できるようにしたものである。
【００６０】
本発明の第２の実施による方法を図６Ａ及び図６Ｂを参照して説明する。
【００６１】
まず、図には示していないが、累積スキャンジョブ回数及び累積原稿読取り枚数は、機械を工場出荷した時もしくは、機械を設置した時に、ゼロにリセットされる。なお、累積スキャンジョブ回数及び累積原稿読取り枚数は、各利用者に対して用意されている。
【００６２】
利用者が原稿読取装置にログインしたならば（ステップＳ２３１でＹＥＳ）、利用者認証により利用者を特定し（ステップＳ２３２）、原稿読取装置が記憶しているその利用者に対応した累積スキャンジョブ回数及び累積原稿読取り枚数を呼び出す（ステップＳ２３３）。
【００６３】
次に、累積スキャンジョブ回数が所定回数に達していなければ（ステップＳ２３５でＮＯ）、ステップＳ２４５に進む。
【００６４】
他方で、累積スキャンジョブ回数が所定回数以上であれば（ステップＳ２３５でＹＥＳ）、ステップＳ２３３で呼び出した累積原稿読取り枚数をステップＳ２３３で呼び出した累積スキャンジョブ回数により除することにより一回のスキャンジョブ当りの平均原稿読取り枚数を取得する（ステップＳ２３７）。
【００６５】
一回のスキャンジョブ当りの平均原稿読取り枚数が所定枚数Ｎ未満であれば（ステップＳ２３９でＹＥＳ）、スキャン自動設定をＯＮにしてから（ステップＳ２４１）、ステップＳ２４５に進み、Ｎ以上であれば（ステップＳ２３９でＮＯ）、スキャン自動設定をＯＦＦにしてから（ステップＳ２４３）、ステップＳ２４５に進む。
【００６６】
ここで、スキャン自動設定がＯＮにされると、図５に示すように、自動スキャン設定に属する白紙飛ばしの機能、画像の向きの自動判定の機能、解像度自動判定の機能、白黒自動判定の機能、及び、原稿斜め補正の機能が有効にされる。スキャン自動設定がＯＦＦにされると、自動スキャン設定に属するこれらの機能は無効にされる。
【００６７】
ステップＳ２４５に進んだならば、スキャンジョブが開始するまで待つ（ステップＳ２４５でＮＯ）。開始してからは（ステップＳ２４５でＹＥＳ）、スキャン自動設定がＯＮにされているならば、スキャンの最中に、これに属する機能を働かせる。また、スキャンの最中に今回のスキャンにおける使用原稿枚数を１枚ずつカウントしていく（ステップＳ２４７）。
【００６８】
スキャンジョブが終了したならば（ステップＳ２４９でＹＥＳ）、終了時における使用原稿枚数をステップＳ２０３で呼び出した原稿読取り枚数に加算して、加算後の原稿読取り枚数を書き戻す（ステップ２５１）。また、ステップＳ２３３で呼び出したスキャンジョブ回数に１を加算して、加算後のスキャンジョブ回数を書き戻す（ステップＳ２５３）。
【００６９】
上記の動作は、図５に示す画面における「原稿枚数に応じて自動設定を解除」のチェックがされている場合のものである。図５に示す画面における「原稿枚数に応じて自動設定を解除」のチェックが外されている場合には、一回のスキャン当りの原稿枚数が所定枚数以上であっても自動スキャン設定は解除されない。
【００７０】
ステップＳ２３５：ＮＯからステップＳ２４５に直接進む場合には、スキャン自動設定をＯＮにしてもよいし、ＯＦＦにしてもよい。
【００７１】
また、現在から遡及して所定回数のスキャンに対する平均原稿読取り枚数（単純移動平均枚数、加重移動平均枚数、指数移動平均枚数など）を所定枚数Ｎと比較してもよい。
【００７２】
スキャン自動設定がＯＮにされたときに、自動スキャン設定に属する白紙飛ばしの機能、画像の向きの自動判定の機能、解像度自動判定の機能、白黒自動判定の機能、及び、原稿斜め補正の機能の全てを有効にするという説明をしたが、そのうちの一部のみを有効にしてもよい。
【００７３】
また、図５に示すような画面により、自動で有効にされた機能を利用者が無効にしてもよい。逆に、スキャン自動設定がＯＮになっても有効にされない機能があるならば、図５に示すような画面により利用者が有効にしてもよい。
【００７４】
第２の実施の形態によれば、第１の実施の形態と同様に、原稿読取装置による過去の１スキャン当りの原稿読取り枚数が少ない場合には、自動スキャン設定に属する機能が有効にされるので、原稿読取装置に備わっているこれらの機能を利用者は享受することができる。また、これらの機能を有効にした場合には、これらの機能のための処理時間により遅延が生じるが、原稿読取り枚数が少ないため累積遅延は少なくてすむ。他方で、原稿読取装置による過去の１スキャン当りの原稿読取り枚数が多い場合には、自動スキャン設定に属する機能が無効にされるので、仮に有効にされた場合に発生する読取り枚数にほぼ比例した累積遅延が発生しない。
【００７５】
また、第２の実施の形態によれば、同一の原稿読取装置であっても、利用者毎にスキャン自動設定のＯＮ／ＯＦＦを切り替えることができるので、同一の原稿読取装置において、一回のスキャン当りの原稿読取り枚数が多い利用者と少ない利用者が混在していても、スキャン自動設定のＯＮ／ＯＦＦの設定は、各利用者に対して適切なものになる。
【００７６】
［第３の実施の形態］
本発明の第１の実施の形態は、原稿読取装置における一回のスキャン当りの原稿読取り枚数を過去の使用状況から求めて、これに基づいて、所定の機能を有効にするか否かを判断するものである。
【００７７】
これに対して、本発明の第３の実施の形態は、原稿読取装置における一回のスキャン当りの原稿読取り枚数をその都度求めて、これに基づいて、所定の機能を有効にするか否かを判断するものである。
【００７８】
本発明の第３の実施による方法を図７を参照して説明する。
【００７９】
原稿読取装置によるスキャンジョブが開始したならば（ステップＳ２６１でＹＥＳ）、スキャンを実行しながら、使用原稿枚数をカウントする（ステップＳ２６３）。これは、例えば、原稿読取装置の原稿自動給送部ＡＤＦ(Automatic Document Feeder)８２４により実行することができる。
【００８０】
次に、今回のスキャンジョブにおける使用原稿枚数が所定枚数Ｎ未満であれば（ステップＳ２７５でＹＥＳ）、スキャン自動設定をＯＮにし（ステップＳ２７７）、ステップＳ２１５に進み、Ｎ以上であれば（ステップＳ２７５でＮＯ）、スキャン自動設定をＯＦＦにする（ステップＳ２７９）。
【００８１】
それからステップＳ２６３でのカウントをしつつスキャンした原稿から取得した原稿画像に基づいて出力原稿画像ファイルを生成するが、この際に、スキャン自動設定に基づいた処理を実行する。
【００８２】
ここで、スキャン自動設定がＯＮにされると、図５に示すように、自動スキャン設定に属する白紙飛ばしの機能、画像の向きの自動判定の機能、解像度自動判定の機能、白黒自動判定の機能、及び、原稿斜め補正の機能が有効にされる。スキャン自動設定がＯＦＦにされると、自動スキャン設定に属するこれらの機能は無効にされる。
【００８３】
上記の動作は、図５に示す画面における「原稿枚数に応じて自動設定を解除」のチェックがされている場合のものである。図５に示す画面における「原稿枚数に応じて自動設定を解除」のチェックが外されている場合には、一回のスキャン当りの原稿枚数が所定枚数以上であっても自動スキャン設定は解除されない。
【００８４】
スキャン自動設定がＯＮにされたときに、自動スキャン設定に属する白紙飛ばしの機能、画像の向きの自動判定の機能、解像度自動判定の機能、白黒自動判定の機能、及び、原稿斜め補正の機能の全てを有効にするという説明をしたが、そのうちの一部のみを有効にしてもよい。
【００８５】
また、図５に示すような画面により、自動で有効にされた機能を利用者が無効にしてもよい。逆に、スキャン自動設定がＯＮになっても有効にされない機能があるならば、図５に示すような画面により利用者が有効にしてもよい。
【００８６】
第３の実施の形態によれば、原稿読取装置によるその都度の１スキャン当りの原稿読取り枚数が少ない場合には、自動スキャン設定に属する機能が有効にされるので、原稿読取装置に備わっているこれらの機能を利用者は享受することができる。また、これらの機能を有効にした場合には、これらの機能のための処理時間により遅延が生じるが、原稿読取り枚数が少ないため累積遅延は少なくてすむ。他方で、原稿読取装置によるその都度の１スキャン当りの原稿読取り枚数が多い場合には、自動スキャン設定に属する機能が無効にされるので、仮に有効にされた場合に発生する読取り枚数にほぼ比例した累積遅延が発生しない。
【００８７】
［第４の実施の形態］
本発明の第４の実施の形態は、本発明の第３の実施の形態において、白紙に関する処理を追加したものである。つまり、図８に示すように、ステップＳ２６３でカウントした原稿に白紙が含まれている場合、この白紙の枚数を取得し（ステップＳ２７１）、この白紙の枚数をステップＳ２６３で取得した使用原稿枚数から差し引くことにより得た枚数を原稿読取り枚数として（ステップＳ２７３）、これを所定枚数Ｎと比較する（ステップＳ２７５）。
【００８８】
第４の実施の形態の他の部分は第３の実施の形態と同様であるので、重複する説明を省略する。
【００８９】
第４の実施の形態によれば、原稿読取装置によるその都度の１スキャン当りの原稿読取り枚数が少ない場合には、自動スキャン設定に属する機能が有効にされるので、原稿読取装置に備わっているこれらの機能を利用者は享受することができる。また、これらの機能を有効にした場合には、これらの機能のための処理時間により遅延が生じるが、原稿読取り枚数が少ないため累積遅延は少なくてすむ。他方で、原稿読取装置によるその都度の１スキャン当りの原稿読取り枚数が多い場合には、自動スキャン設定に属する機能が無効にされるので、仮に有効にされた場合に発生する読取り枚数にほぼ比例した累積遅延が発生しない。
【００９０】
また、第４の実施の形態によれば、スキャンした枚数から白紙を除外した枚数が原稿読取枚数として扱われるので、スキャン自動設定のＯＮ／ＯＦＦをより正確に切り替えることができる。これは、特に、スキャンした枚数に含まれる白紙の枚数の割合が多い場合に有効である。
【００９１】
［第５の実施の形態］
本発明の第５の実施の形態は、スキャン自動設定に含まれる複数の機能を原稿読取装置のパフォーマンスへの影響度に応じて複数の機能グループに分類し、機能グループ毎に、その機能グループに属する機能をＯＮにするかＯＦＦにするかを切り替えるための原稿読取り枚数を異ならせるものである。つまり、原稿読取装置のパフォーマンスを悪化させる程度の高い機能（例えば、画像の向きの自動判定の機能）に対しては、機能をＯＮからＯＦＦにするための原稿読取り枚数の閾値を小さく設定し、逆に、原稿読取装置のパフォーマンスを悪化させる程度の低い機能（例えば、白紙飛ばしの機能）に対しては、機能をＯＮからＯＦＦにするための原稿読取り枚数の閾値を大きく設定する。
【００９２】
本発明の第５の実施による方法を図９Ａ及び図９Ｂを参照して説明する。
【００９３】
原稿読取装置によるスキャンジョブが開始したならば（ステップＳ３０１でＹＥＳ）、スキャンを実行しながら、使用原稿枚数をカウントする（ステップＳ３０３）。これは、例えば、原稿読取装置の原稿自動給送部ＡＤＦ(Automatic Document Feeder)８２４により実行することができる。
【００９４】
次に、スキャン自動設定に含まれる全機能を無効に初期化する（ステップＳ３０５）。
【００９５】
次に、今回のスキャンジョブにおける使用原稿枚数が所定枚数Ｎ未満でなければ（ステップＳ３０７でＮＯ）、全機能を無効にしたまま、ステップＳ３０３でカウントしつつ読み取った原稿画像に基づいて出力原稿画像ファイルを生成する。
【００９６】
今回のスキャンジョブにおける使用原稿枚数が所定枚数Ｎ未満であれば（ステップＳ３０７でＹＥＳ）、白紙飛ばしを有効にする（ステップＳ３０９）。
【００９７】
次に、ＭがＮよりも小さな自然数であるとして、今回のスキャンジョブにおける使用原稿枚数が所定枚数Ｍ未満でなければ（ステップＳ３１１でＮＯ）、白紙飛ばしのみを有効にした状態で、ステップＳ３０３でカウントしつつ読み取った原稿画像に基づいて出力原稿画像ファイルを生成する。
【００９８】
今回のスキャンジョブにおける使用原稿枚数が所定枚数Ｍ未満であれば（ステップＳ３１１でＹＥＳ）、解像度自動判定機能を有効にする（ステップＳ３１３）。
【００９９】
次に、ＬがＭよりも小さな自然数であるとして、今回のスキャンジョブにおける使用原稿枚数が所定枚数Ｌ未満でなければ（ステップＳ３１５でＮＯ）、白紙飛ばし及び解像度自動判定機能のみを有効にした状態で、ステップＳ３０３でカウントしつつ読み取った原稿画像に基づいて出力原稿画像ファイルを生成する。
【０１００】
今回のスキャンジョブにおける使用原稿枚数が所定枚数Ｌ未満であれば（ステップＳ３１５でＹＥＳ）、画像の向き自動判定機能を有効にして（ステップＳ３１７）、白紙飛ばし機能、解像度自動判定機能及び画像の向き自動判定を有効にした状態で、ステップＳ３０３でカウントしつつ読み取った原稿画像に基づいて出力原稿画像ファイルを生成する。
【０１０１】
使用原稿枚数と有効にする機能との関係は、図１０の表に示す通りとなる。
【０１０２】
原稿読取装置のパフォーマンスを低下させる程度は、画像の向き自動判定機能、解像度自動判定機能、白紙飛ばし機能の順に大きいが、使用原稿枚数が多いほど、機能を有効から無効に切り替えるための閾値枚数を小さくしている。つまり、原稿読取装置のパフォーマンスを低下させる程度の大きな機能を使用原稿枚数が少ないときに無効にしているので、不必要に原稿読取装置のパフォーマンスを低下させることがない。
【０１０３】
［第６の実施の形態］
本発明の第６の実施の形態は、スキャン自動設定に含まれる複数の機能を原稿読取装置のパフォーマンスへの影響度に応じて複数の機能グループに分類し、その機能グループに属する機能をＯＮにするかＯＦＦにするかを読取画像ファイルの出力先に応じて切り替えるものである。つまり、読取画像ファイルの出力先が早期のそこへの出力が利用者により要求されるものであるならば、機能をＯＮからＯＦＦにするための原稿読取り枚数の閾値を小さく設定し、逆に、読取画像ファイルの出力先が早期のそこへの出力が利用者により要求されないものであるならば、機能をＯＮからＯＦＦにするための原稿読取り枚数の閾値を大きく設定する。例えば、読取画像ファイルの出力先が複合機に接続されたＵＳＢメモリなどのメモリーカードである場合には、利用者は読取画像ファイルが早期にメモリーカードに出力されることを要求するので、機能をＯＮからＯＦＦにするための原稿読取り枚数の閾値を小さく設定する。これに対して、読取画像ファイルの出力先が複合機にネットワークを介して接続されたファイルサーバである場合には、利用者は読取画像ファイルが早期にファイルサーバに出力されることを要求しないので、機能をＯＮからＯＦＦにするための原稿読取り枚数の閾値を大きく設定する。
【０１０４】
本発明の第６の実施による方法を図１１Ａ及び図１１Ｂを参照して説明する。
【０１０５】
原稿読取装置によるスキャンジョブが開始したならば（ステップＳ３２１でＹＥＳ）、スキャンを実行しながら、使用原稿枚数をカウントする（ステップＳ３２３）。これは、例えば、原稿読取装置の原稿自動給送部ＳＰＦ(Single Pass Feeder)８２４により実行することができる。
【０１０６】
次に、スキャン自動設定に含まれる全機能を無効に初期化する（ステップＳ３２５）。
【０１０７】
次に、保存場所がファイルサーバなどのサーバであれば（ステップＳ３２７でＹＥＳ）、画像の向き自動判定機能を有効にし（ステップＳ３２９）、解像度自動判定機能を有効にし（ステップＳ３３１）、白紙飛ばし機能を有効にしてから（ステップＳ３３３）、ステップＳ３２３でカウントしつつ読み取った原稿画像に基づいて出力原稿画像ファイルを生成して、ファイルサーバに保存する。
【０１０８】
保存場所がＰＣであれば（ステップＳ３３５でＹＥＳ）、解像度自動判定機能を有効にし（ステップＳ３３１）、白紙飛ばし機能を有効にしてから（ステップＳ３３３）、ステップＳ３２３でカウントしつつ読み取った原稿画像に基づいて出力原稿画像ファイルを生成して、ＰＣに保存する。
【０１０９】
保存場所がＵＳＢメモリなどのメモリカードであれば（ステップＳ３３７でＹＥＳ）、白紙飛ばし機能を有効にしてから（ステップＳ３３３）、ステップＳ３２３でカウントしつつ読み取った原稿画像に基づいて出力原稿画像ファイルを生成して、メモリカードに保存する。
【０１１０】
保存場所が上記の何れでもなければ、ステップＳ３２９、Ｓ３３１、Ｓ３３３の何れも実行せずに、ステップＳ３２３でカウントしつつ読み取った原稿画像に基づいて出力原稿画像ファイルを生成して、上記以外の保存場所に保存する。
【０１１１】
保存場所と有効にする機能との関係は、図１２の表に示す通りとなる。
【０１１２】
原稿読取装置のパフォーマンスを低下させる程度は、画像の向き自動判定機能、解像度自動判定機能、白紙飛ばし機能の順に大きいが、保存場所に応じて有効にする機能を異ならせている。特に、保存場所が、そこに読取画像ファイルを格納することが利用者により要求される程度が高いほど、パフォーマンスを低下させる程度の高い機能を無効にする傾向を持たせている。
【０１１３】
［第７の実施の形態］
第１乃至第６の実施の形態では、原稿読取装置がスキャン自動設定を有効にするかどうかを決定する。
【０１１４】
これに対して、第７の実施の形態では、利用者がスキャン自動設定を有効にするかどうかを決定する。
【０１１５】
本発明の第７の実施による方法を図１３を参照して説明する。
【０１１６】
利用者の操作によりスキャンジョブが開始したならば（ステップＳ３５１でＹＥＳ）、操作パネルなどのユーザインターフェースに、
（１）「自動でスキャン処理する。」
（２）「手動でスキャン処理する。」
の何れかを選択できる画面を表示する（ステップＳ３５３）。次に、利用者により、
（１）「自動でスキャン処理する。」
が選択されたのであれば（ステップＳ３５７でＹＥＳ）、スキャン自動設定を有効にする（ステップＳ３５９）。他方で、利用者により、
（２）「手動でスキャン処理する。」
が選択されたのであれば（ステップＳ３５７でＮＯ）、スキャン自動設定を無効にする（ステップＳ３６１）。
【０１１７】
次に、何れかの状態において、スキャンジョブを実行する。
【０１１８】
Ｓ３５９に進む代わりに、第１乃至第６の実施の形態に進むようにしてもよい。
【０１１９】
［第８の実施の形態］
第１の実施の形態では、一回のスキャンジョブ当りの平均原稿読取り枚数が所定枚数Ｎ未満であれば（ステップＳ２０９でＹＥＳ）、直ちにスキャン自動設定をＯＮにし（ステップＳ２１１）、Ｎ以上であれば（ステップＳ２０９でＮＯ）、直ちにスキャン自動設定をＯＦＦにした（ステップＳ２１３）。
【０１２０】
これに対して、第８の実施の形態においては、スキャン自動設定をＯＮ又はＯＦＦにする前に現在におけるスキャン自動設定のＯＮ／ＯＦＦの状態から変化することになるならば、利用者に対して許可を求め、利用者により許可されたならばスキャン自動設定をＯＮ又はＯＦＦにする。従って、利用者により許可されないならば、ＯＮ／ＯＦＦの状態が維持されることになる。なお、スキャン自動設定のＯＮ／ＯＦＦの状態から変化することにならないならば、特に利用者による許可を求めずにその状態を維持する。
【０１２１】
第１の実施の形態におけるステップＳ２１１は、図１４に示す複数のステップに変更される。まず、現在、スキャン自動設定がＯＮであるならば（ステップＳ４０１でＹＥＳ）、その状態を維持する。現在、スキャン自動設定がＯＦＦであるならば（ステップＳ４０１でＮＯ）、スキャン自動設定をＯＮにしてもよいかを確認するための画面を表示する（ステップＳ４０３）。「はい」が選択されたならば（ステップＳ４０５でＹＥＳ）、スキャン自動設定をＯＮにする（ステップＳ４０７）。「いいえ」が選択されたならば（ステップＳ４０５でＮＯ）、スキャン自動設定がＯＦＦである状態を維持する。
【０１２２】
第１の実施の形態におけるステップＳ２１３は、図１５に示す複数のステップに変更される。まず、現在、スキャン自動設定がＯＦＦであるならば（ステップＳ４１１でＹＥＳ）、その状態を維持する。現在、スキャン自動設定がＯＮであるならば（ステップＳ４１１でＮＯ）、スキャン自動設定をＯＦＦにしてもよいかを確認するための画面を表示する（ステップＳ４１３）。「はい」が選択されたならば（ステップＳ４１５でＹＥＳ）、スキャン自動設定をＯＦＦにする（ステップＳ４１７）。「いいえ」が選択されたならば（ステップＳ４１５でＮＯ）、スキャン自動設定がＯＮである状態を維持する。
【０１２３】
図６Ｂに示すステップＳ２４１、Ｓ２４３もそれぞれ図１４に示す複数のステップ、図１５に示す複数のステップに変更してもよい。図７に示すステップＳ２６７、Ｓ２６９もそれぞれ図１４に示す複数のステップ、図１５に示す複数のステップに変更してもよい。図８に示すステップＳ２７７、Ｓ２７９もそれぞれ図１４に示す複数のステップ、図１５に示す複数のステップに変更してもよい。図１３に示すステップＳ３５９、Ｓ３６１もそれぞれ図１４に示す複数のステップ、図１５に示す複数のステップに変更してもよい。
【０１２４】
図９Ｂに示すステップＳ３０９，３１３，３１７、図１１Ｂに示すステップＳ３２９、Ｓ３３１、Ｓ３３３も図１４に示す複数のステップと同様な複数のステップに変更してもよい。  上記の実施の形態では、スキャン自動設定の有効化／無効化を例に取り説明をしたが、これ以外の機能の有効化／無効化を切り替えるようにしてもよい。例えば、薄紙読み込みの機能、枠消去の機能、コントラスト自動調整の機能、混在原稿処理の機能、ページ分割の機能、ドロップアウトカラーの機能、ファイリングの機能、ブック分割の機能、下地消去の機能、シャープネス自動調整の機能、自動一時保存の機能の有効化／無効化を切り替えるようにしてもよい。
【０１２５】
また、上記の原稿読取装置は、ハードウェア、ソフトウェア又はこれらの組合わせにより実現することができる。また、上記の原稿読取装置により行なわれる原稿読取方法も、ハードウェア、ソフトウェア又はこれらに組合わせにより実現することができる。ここで、ソフトウェアによって実現されるとは、コンピュータがプログラムを読み込んで実行することにより実現されることを意味する。
【０１２６】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１２７】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【０１２８】
本発明は、原稿の読取りに利用することができる。
【符号の説明】
【０１２９】
８００  複合機
８２０  原稿読取装置
８３０  複合機本体
【図１】
2020039091.tif 000003
【図２】
2020039091.tif 000004
【図３】
2020039091.tif 000005
【図４Ａ】
2020039091.tif 000006
【図４Ｂ】
2020039091.tif 000007
【図５】
2020039091.tif 000008
【図６Ａ】
2020039091.tif 000009
【図６Ｂ】
2020039091.tif 000010
【図７】
2020039091.tif 000011
【図８】
2020039091.tif 000012
【図９Ａ】
2020039091.tif 000013
【図９Ｂ】
2020039091.tif 000014
【図１０】
2020039091.tif 000015
【図１１Ａ】
2020039091.tif 000016
【図１１Ｂ】
2020039091.tif 000017
【図１２】
2020039091.tif 000018
【図１３】
2020039091.tif 000019
【図１４】
2020039091.tif 000020
【図１５】
2020039091.tif 000021